【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
取引の認証要求を含む情報を受信することと、
受信した情報に基づき、（i）前記取引に関連する場所と、（ii）前記取引に関連するユーザとを特定することと、
位置データであって、前記ユーザに関連するソーシャルネットワークプロフィールに登録されており、かつ前記ユーザに関連する１つ以上の場所を特定する前記位置データにアクセスすることと、
前記取引に関連する場所と前記ユーザに関連する前記１つ以上の場所との比較に基づき、前記取引に関連する前記場所が前記ユーザに関連する場所に対応するか否かを判断することと、
前記取引に関連する前記場所が前記ユーザに関連する前記場所に対応するか否かの判断に基づき、前記要求に対する応答を与えることを含む、コンピュータ実施方法。
【請求項２】
前記ユーザに関連する前記ソーシャルネットワークプロフィールに登録されており、かつ前記ユーザに関連する１つ以上の場所を特定する前記位置データは、前記ユーザがいたことのある１つ以上の場所を特定する位置データを含む、請求項１記載の方法。
【請求項３】
前記ユーザに関連する前記ソーシャルネットワークプロフィールに登録されており、かつ前記ユーザに関連する１つ以上の場所を特定する前記位置データに基づき、前記ユーザの予想される現在地を判断することと、
前記取引に関連する前記場所と前記ユーザの前記予想される現在地との比較に基づき、前記取引に関連する前記場所が、前記ユーザの前記予想される現在地に対応するか否かを判断することと、
前記取引に関連する前記場所が前記ユーザの前記予想される現在地に対応するか否かの判断に基づき、前記要求に対する応答を与えることを含む、請求項１記載の方法。
【請求項４】
１つ以上の所定の地理的場所を特定する情報を受信することと、
前記ユーザに関連する前記１つ以上の場所と前記１つ以上の所定の地理的場所との比較に基づき、前記ユーザに関連する前記１つ以上の場所のうちの特定の１つが所定の地理的場所に対応すると判断することと、
前記ユーザに関連する前記特定の場所が所定の地理的場所に対応するとの判断に基づき、前記要求に対する応答を与えることを含む、請求項１記載の方法。
【請求項５】
前記取引に関連する前記場所が、前記ユーザに関連する場所に対応するとの判断に基づき、前記ユーザに関連する前記特定の場所を所定の地理的場所として特定することを含む、請求項４記載の方法。
【請求項６】
前記ユーザに関連する前記特定の場所を所定の地理的場所として特定することは、前記ユーザに関連する前記特定の場所を、特定の長さの時間の間、所定の地理的場所として特定することを含む、請求項５記載の方法。
【請求項７】
前記取引の前記認証要求は、カード提示取引又はカード不提示取引の認証要求である、請求項１記載の方法。
【請求項８】
前記取引の前記認証要求は、取引額に関連する取引の認証要求であり、
前記取引額に基づき、前記取引の認証に関連する１つ以上の条件を特定することと、
前記取引認証に関連する前記１つ以上の条件を評価することと、
前記取引認証に関連する前記１つ以上の条件の前記評価に基づき、前記取引認証に関連する前記１つ以上の条件が満足されるか否かを判断することと、
少なくとも、前記取引認証に関連する前記１つ以上の条件が満足されるか否かの判断に基づき、前記要求に対する応答を与えることを含む、請求項１記載の方法。
【請求項９】
前記取引に関連する前記場所が前記ユーザに関連する場所に対応するか否かの判断に基づき、前記要求に対する応答を与えることは、
前記取引に関連する前記場所が、前記ユーザに関連する場所に対応すると判断することと、
前記要求に対して、前記取引が認証されたことを示す応答を与えることを含む、請求項１記載の方法。
【請求項１０】
前記取引に関連する前記場所が前記ユーザに関連する場所に対応するか否かの判断に基づき、前記要求に対する応答を与えることは、
前記取引に関連する前記場所が、前記ユーザに関連する場所に対応しないと判断することと、
前記要求に対して、前記取引が認証されなかったことを示す応答を与えることを含む、請求項１記載の方法。
【請求項１１】
前記取引に関連する前記場所が前記ユーザに関連する場所に対応するか否かの判断は、  前記取引を前記ユーザが実行したことの確認要求を与えることと、
前記取引を前記ユーザが実行したか否かを示す、前記確認要求に対する応答を受信することを含む、請求項１記載の方法。
【請求項１２】
前記ユーザに関連するソーシャルネットワークプロフィールに登録されており、かつ前記ユーザに関連する１つ以上の場所を特定する位置データへのアクセスは、
前記ユーザの前記ソーシャルネットワークプロフィールに関連する１つ以上の画像を含む画像データにアクセスすることと、
前記ユーザの前記ソーシャルネットワークプロフィールに関連する前記１つ以上の画像に関連する場所を判断することと、
前記ユーザの前記ソーシャルネットワークプロフィールに関連する前記１つ以上の画像に関連する前記判断された場所を、前記ユーザに関連する場所と特定することを含む、請求項１記載の方法。
【請求項１３】
前記ユーザに関連するソーシャルネットワークプロフィールに登録されており、かつ前記ユーザに関連する１つ以上の場所を特定する位置データへのアクセスは、
前記ユーザの前記ソーシャルネットワークプロフィールに関連する１つ以上のビデオを含むビデオデータにアクセスすることと、
前記ユーザの前記ソーシャルネットワークプロフィールに関連する前記１つ以上のビデオに関連する場所を判断することと、
前記ユーザの前記ソーシャルネットワークプロフィールに関連する前記１つ以上のビデオに関連する前記判断された場所を、前記ユーザに関連する場所と特定することを含む、請求項１記載の方法。
【請求項１４】
前記ユーザに関連するソーシャルネットワークプロフィールに登録されており、かつ前記ユーザに関連する１つ以上の場所を特定する位置データへのアクセスは、
前記ユーザの前記ソーシャルネットワークプロフィールに関連するテキストを含むテキストデータにアクセスすることと、
前記ユーザの前記ソーシャルネットワークプロフィールに関連する前記テキストを構文解析することと、
前記ユーザの前記ソーシャルネットワークプロフィールに関連する前記テキストの構文解析に基づき、前記ユーザの前記ソーシャルネットワークプロフィールに関連する前記テキストに関連する場所を判断することと、
前記ユーザの前記ソーシャルネットワークプロフィールに関連するテキストに関連する前記判断された場所を、前記ユーザに関連する場所と特定することを含む、請求項１記載の方法。
【請求項１５】
前記ユーザに関連するソーシャルネットワークプロフィールに登録されており、かつ前記ユーザに関連する１つ以上の場所を特定する位置データへのアクセスは、
前記ユーザの前記ソーシャルネットワークプロフィールに関連する１つ以上のエンドースメントを特定するエンドースメントデータにアクセスすることと、
前記エンドースメントデータに基づき、前記ユーザの前記ソーシャルネットワークプロフィールに関連する前記エンドースメントに関連する実体を特定することと、
前記ユーザの前記ソーシャルネットワークプロフィールに関連する前記エンドースメントに関連する前記実体に対応する場所を判断することと、
前記ユーザの前記ソーシャルネットワークプロフィールに関連する前記エンドースメントに関連する前記実体に対応する前記判断された場所を、前記ユーザに関連する場所と特定することを含む、請求項１記載の方法。
【請求項１６】
前記ユーザに関連するソーシャルネットワークプロフィールに登録されており、かつ前記ユーザに関連する１つ以上の場所を特定する位置データへのアクセスは、
前記ユーザの前記ソーシャルネットワークプロフィールに関連する１つ以上のチェックインを含むチェックインデータにアクセスすることと、
前記ユーザの前記ソーシャルネットワークプロフィールに関連する前記１つ以上のチェックインに関連する場所を判断することと、
前記ユーザの前記ソーシャルネットワークプロフィールに関連する前記１つ以上のチェックインに関連する前記判断された場所を、前記ユーザに関連する場所と特定することを含む、請求項１記載の方法。
【請求項１７】
前記ユーザに関連するソーシャルネットワークプロフィールに登録されており、かつ前記ユーザに関連する１つ以上の場所を特定する位置データへのアクセスは、
前記ユーザに関連する前記ソーシャルネットワークプロフィールを用いて前記ユーザが交換した１つ以上のメッセージを含むメッセージデータにアクセスすることと、
前記ユーザに関連する前記ソーシャルネットワークプロフィールを用いて前記ユーザが交換した前記メッセージの１つ以上に関連する場所を判断することと、
前記ユーザに関連する前記ソーシャルネットワークプロフィールを用いて前記ユーザが交換した前記１つ以上のメッセージに関連する前記判断された場所を前記ユーザに関連する場所と特定することを含む、請求項１記載の方法。
【請求項１８】
１つ以上のコンピュータと、前記１つ以上のコンピュータに実行された場合、前記１つ以上のコンピュータに以下を含む動作を実行せしめるよう動作可能な命令を保存する１つ以上の記憶装置とを備える、システム：
取引の認証要求を含む情報を受信すること、
受信した情報に基づき、（i）前記取引に関連する場所と、（ii）前記取引に関連するユーザとを特定すること、
位置データであって、前記ユーザに関連するソーシャルネットワークプロフィールに登録されており、かつ前記ユーザに関連する１つ以上の場所を特定する前記位置データにアクセスすること、
前記取引に関連する前記場所と前記ユーザに関連する前記１つ以上の場所との比較に基づき、前記取引に関連する前記場所が前記ユーザに関連する場所に対応するか否かを判断すること、及び
前記取引に関連する前記場所が前記ユーザに関連する前記場所に対応するか否かの判断に基づき、前記要求に対する応答を与えること。
【請求項１９】
コンピュータプログラムをエンコードされたコンピュータリーダブルな記憶装置であって、前記プログラムは、１つ以上のコンピュータによって実行された場合、前記１つ以上のコンピュータに動作を実行せしめる命令を含み、前記動作は、
取引の認証要求を含む情報を受信することと、
受信した情報に基づき、（i）前記取引に関連する場所と、（ii）前記取引に関連するユーザとを特定することと、
位置データであって、前記ユーザに関連するソーシャルネットワークプロフィールに登録されており、かつ前記ユーザに関連する１つ以上の場所を特定する前記位置データにアクセスすることと、
前記取引に関連する前記場所と前記ユーザに関連する前記１つ以上の場所との比較に基づき、前記取引に関連する前記場所が前記ユーザに関連する場所に対応するか否かを判断することと、
前記取引に関連する前記場所が前記ユーザに関連する前記場所に対応するか否かの判断に基づき、前記要求に対する応答を与えることを含む、前記記憶装置。
【請求項２０】
前記取引に関連する前記場所が前記ユーザに関連する場所に対応するか否かを判断することは、
前記ユーザに関連する前記ソーシャルネットワークプロフィールに登録されている前記位置データに少なくとも基づいて、前記ユーザに関連する前記場所の1つ以上にスコアを割り当てること、
前記ユーザに関連する前記場所の前記1つ以上に割り当てられた前記スコアに少なくとも基づいて、前記ユーザに関連する前記1つ以上の場所の中から前記ユーザに関連する特定の場所を特定すること、及び
前記取引に関連する前記場所と前記ユーザに関連する前記特定の場所との比較に基づいて、前記取引に関連する前記場所が、前記ユーザに関連する前記特定の場所に対応するか否かを判断すること、
を含む、請求項１記載の方法。
【請求項２１】
前記ユーザに関連する前記ソーシャルネットワークプロフィールに登録されている前記位置データは、それぞれの重みに各々関連付けられている、画像データ、ビデオデータ、テキストデータ、エンドースメントデータ、チェックインデータ、及びメッセージデータの1つ以上を含み、かつ、前記ユーザに関連する前記ソーシャルネットワークプロフィールに登録されている前記位置データに少なくとも基づいて前記ユーザに関連する前記場所の前記1つ以上に前記スコアを割り当てることは、前記関連付けられているそれぞれの重みに従って、前記画像データ、ビデオデータ、テキストデータ、エンドースメントデータ、チェックインデータ、及びメッセージデータの前記1つ以上に少なくとも基づいて、前記ユーザに関連する前記場所の前記1つ以上にスコアを割り当てることを含む、請求項１記載の方法。
【請求項２２】
前記ユーザの前記予想される現在地を判断することは、
前記ユーザに関連する前記1つ以上の場所の1つ以上にスコアを割り当てること（ここで、前記ユーザに関連する特定の場所に割り当てられたスコアは、前記ユーザが前記ユーザに関連する前記特定の場所にいる確実性のレベルを示す。）、及び
前記ユーザに関連する前記1つ以上の場所の前記1つ以上に割り当てられた前記スコアに少なくとも基づいて、前記ユーザの前記予想される現在地を判断すること、
を含む、請求項３記載の方法。
【請求項２３】
前記取引に関連する前記場所が前記ユーザに関連する場所に対応するか否かを判断することは、
前記ユーザに関連する前記ソーシャルネットワークプロフィールに登録されており、かつ前記ユーザに関連する1つ以上の場所を特定する前記位置データに基づいて、前記ユーザの予想される現在地を判断すること、
前記ユーザの前記予想される現在地についてのスコアを判断すること（ここで、前記スコアは、前記ユーザが前記ユーザの前記予想される現在地にいる確実性のレベルを示す。）、及び
(i)前記スコア、及び、(ii)前記取引に関連する前記場所の前記予想される現在地との比較、に少なくとも基づいて、前記取引に関連する前記場所が前記ユーザに関連する前記場所に対応するか否かを判断すること、
を含む、請求項1記載の方法。